(57)【要約】【課題】アパート、マンション等の高層集合住宅において、トイレ、シンク、浴槽等の衛生機器と接続した排水横引き管と排水立管との接続作業が簡単に行え、しかも配管接続後は管内を流れる汚物等が管底部に堆積することなくスムースに排出できる管継手を提供する。【解決手段】排水横引き管１の端部が水平方向から挿入接続される継手部３１と、排水立管２の管壁外面に接続されるサドル部３２とからなり、前記継手部には排水横引き管１の外径よりも若干大きい内径を有する受口３１１が形成されると共に、該受口３１１の内周面は下面がほぼ水平状で、上面及び左右の両面が開口端側に向かって拡開したテーパ状に形成されており、また前記受口３１１の先端部にはゴム製可撓性継手３３が装着されて該受口３１１に水平方向から挿入接続された排水横引き管１の端部が前記可撓性継手３３を介して上方及び左右方向に対して角度調整可能に接続される。【選択図】    図１
2004169349.tif 000002
【特許請求の範囲】
【請求項１】
排水機器と接続した排水横引き管の端部と排水立管とを接続する管継手であって、排水横引き管の端部が水平方向から挿入接続される継手部と、排水立管の管壁外面に接続されるサドル部とからなり、前記継手部には排水横引き管の外径よりも若干大きい内径を有する受口が形成されると共に、該受口の内周面は下面がほぼ水平状で、上面及び左右の両面が開口端側に向かって拡開したテーパ状に形成されており、また前記受口の先端部にはゴム製可撓性継手が装着されて該受口に水平方向から挿入接続された排水横引き管の端部が前記可撓性継手を介して上方及び左右方向に対して角度調整可能に接続されることを特徴とする管継手。
【請求項２】
受口の内周面は下面がほぼ水平状で、上面及び左右の両面が開口端側に向かって２〜５度の角度範囲で拡開したテーパ状に形成されていることを特徴とする請求項１記載の管継手。
【発明の詳細な説明】
【０００１】
【発明の属する技術分野】
本発明は、アパート、マンション等の高層集合住宅において、トイレ、シンク、浴槽等の衛生機器と接続した排水横引き管と排水立管との接続作業が簡単に行え、しかも配管接続後は管内を流れる汚物等が管底部に堆積することなくスムースに排出できる管継手に関する。
【０００２】
【従来の技術】
一般にアパート、マンション等の高層集合住宅では、最上階から下層階まで垂直に連通する排水立管が配管されており、この排水立管に各階に設置されたトイレ、シンク、浴槽等の衛生機器が排水横引き管を介して接続されている。また、近年住環境の多様化に対応してレイアウトの変更、リニューアル等が行われており、これに伴ってトイレ、洗濯機等の各種排水機器の設置場所を変更する場合にも、各種衛生機器と排水立管とが排水横引き管を介して接続されている。
【０００３】
通常、高層集合住宅での下水配管は、図４に断面図で示した如くコンクリートスラブ７と床８との間に空間を設け、この空間に排水横引き管１を敷設すると共に、該排水横引き管１の一端部を浴槽、洗濯パン等の各種衛生機器と接続し、排水横引き管１の他端部を分岐サドル継手５を介して排水立管２に接続している。前記分岐サドル継手５としては、下記特許文献１に記載されている如く、拡径した受口５１の開口端部にゴムリング５３が装着され、該受口５１の他端側にサドル部５２が一体的に設けられたものが使用されており、拡径受口５１に挿入した排水横引き管１の端部がゴムリング５３を介して伸縮かつ屈曲自在に接続されると共に、分岐サドル継手５のサドル部５２と排水立管２の管壁外面とがシールパッキンまたは接着剤を介してバンド６で締め付け固定される。
【０００４】
【特許文献１】
実開昭５５−１３５８８７号（第１図）
【０００５】
【発明が解決しようとする課題】
ところで、このような下水配管の場合には、排水横引き管１に排水の流れ勾配を付けないと掃流性が悪くなって固形物が管底部に堆積し、排水がスムースに流れないことがある。また、コンクリートスラブ７と床８との間の狭い空間に排水横引き管１を敷設する床下配管は通常の配管施工よりも手間が掛り、各種排水機器と接続した排水横引き管１の他端部を排水立管２に接続するとき、排水横引き管１をある程度水平方向に振らせないと上手く接続できないことがある。一般に、このような配管接続では、上方及び左右方向に対して２〜５度の角度調整ができれば、現場での施工作業が円滑に行え、しかも排水の流れも問題ないといわれている。
【０００６】
前記特許文献１に示されたような分岐サドル継手５は、拡径受口５１の奥側が拡径しているため、当該拡径部分で受口５１に挿入した排水横引き管１の接続方向を上下及び左右方向に対して２〜３度程度の範囲で角度調整が行える。ところが、この従来の分岐サドル継手５は排水横引き管１との接続角度を大きく調整できないというだけでなく、受口奥部の下面が湾曲した凹部となるため、当該凹部に管内を流れる汚物等が堆積したり、引っ掛かって排水がスムースに排出されないということがあった。
【０００７】
本発明はかかる課題を解決したものであって、排水横引き管の接続角度を大きく調整できることによって、排水横引き管と排水立管との接続作業が簡単に行え、また配管施工後に汚物等が管底部に堆積することなく排水がスムースに排出される管継手を提供するものである。
【０００８】
【課題を解決するための手段】
本発明は、排水機器と接続した排水横引き管の端部と排水立管とを接続する管継手であって、排水横引き管の端部が水平方向から挿入接続される継手部と、排水立管の管壁外面に接続されるサドル部とからなり、前記継手部には排水横引き管の外径よりも若干大きい内径を有する受口が形成されると共に、該受口の内周面は下面がほぼ水平状で、上面及び左右の両面が開口端側に向かって拡開したテーパ状に形成されており、また前記受口の先端部にはゴム製可撓性継手が装着されて該受口に水平方向から挿入接続された排水横引き管の端部が前記可撓性継手を介して上方及び左右方向に対して角度調整可能に接続されることを特徴とする。また、前記受口の内周面は下面がほぼ水平状で、上面及び左右の両面が開口端側に向かって２〜５度の角度範囲で拡開したテーパ状に形成されていることを特徴とする。
【０００９】
【発明の実施の形態】
以下、本発明の実施の形態を図面にて詳細に説明する。図１は本発明の管継手による排水横引き管と排水立管との接続状態を示す部分切断断面図であって、図中の符号１は排水横引き管、２は排水立管、３は管継手である。
【００１０】
本発明の管継手３は塩ビ樹脂、ポリエチレン樹脂等の熱可塑性樹脂からなるものであって、排水横引き管１の端部が挿入接続される継手部３１と、排水立管２の管壁外面に接続されるサドル部３２とからなっている。継手部３１には排水横引き管１の外径よりも若干大きい内径を有する受口３１１が形成されると共に、該受口３１１の内周面は下面がほぼ水平状で、上面及び左右の両面が開口端側に向かって２〜５度の角度範囲で拡開したテーパ状に形成されている。前記受口３１１の先端部にはゴム製可撓性継手３３が装着され、該受口３１１に水平方向から挿入接続された排水横引き管１の端部が前記可撓性継手３３を介して上方及び左右方向に対して角度調整可能に接続されるようになっている。
【００１１】
また、前記受口３１１の奥側には排水横引き管１の内径とほぼ等しい内径を有する短管部３１２が設けられており、該短管部３１２を介して受口３１１とサドル部３２とが一体的に接続している。前記サドル部３２は排水立管２の管壁外面とほぼ等しい曲率で湾曲しており、この湾曲した凹曲面に環状溝が形成され、該環状溝に装着されたシールパッキン３４を介して排水立管２の管壁外面と緊密に接続されるようになっている。
【００１２】
次に、この管継手３を用いて排水横引き管１と排水立管２とを接続する作業手順を説明する。図４に従来例で示したと同様に、まず排水横引き管１の一端部をトイレ、シンク、浴槽等の衛生機器に接続し、該排水横引き管１の他端部を排水立管２の近傍位置まで延設する。また、排水横引き管１が接続される排水立管２の管壁適所に接続孔２１を穿設しておく。そこで、排水横引き管１の端部を管継手３の受口３１１に挿入し、該受口３１１の先端部から突出している可撓性継手３３の外周に巻回したバンドを締め付けて固定すると共に、サドル部３２の凹曲面を排水立管２の管壁外面に押し付け、サドル部３２の外周側に巻き付けたバンド４を締め付けて固定する。かくして、排水横引き管１と排水立管２とが本発明の管継手３を介して緊密に接続される。
【００１３】
図２は本発明の他の実施例を示す管継手３の断面図であって、図３は図２に示した管継手３のＢ−Ｂ矢視図である。この実施例の管継手３は図１に示した管継手３の受口３１１と短管部３１２の下面を段差なく一体的に連続させたものであって、径の大きい受口３１１と径の小さい短管部３１２の下面を面一にして偏芯させたものである。このため、受口３１１と短管部３１２の境界部は下面では段差なく平坦で、上面に向かって段差ができ、この段差が受口３１１に接続した排水横引き管１の挿入を規制するストッパー段部３１ａとなっている。また、図１に示した実施例と同様に受口３１１の内周面は下面がほぼ水平状で、上面及び左右の両面が開口端側に向かって２〜５度の角度範囲で拡開したテーパ状に形成されており、受口３１１の先端部にはゴム製可撓性継手３３が装着されている。また、湾曲したサドル部１２の凹曲面には、前記短管部３１２と同芯状に環状溝３２１が形成され、該環状溝３２１にシールパッキン３４が装着されている。
【００１４】
この実施例の管継手３の場合には、受口３１１の奥側下面が平坦で、段差がないため、該受口３１１に挿入接続した排水横引き管１の先端側に凹部が存在せず、管内を流れる汚物等は管底部に滞留することなくスムースに排出される。
【００１５】
【発明の効果】
以上詳述した如く、本発明の管継手によれば、アパート、マンション等の高層集合住宅において、トイレ、シンク、浴槽等の衛生機器と接続した排水横引き管との接続角度を大きく調整できるように、特に２〜５度の角度調整が行えるようにしたので、排水横引き管を排水立管に簡単に接続できる。また、排水横引き管に適度の流れ勾配を付けることができるため、汚物等が管底部に堆積したり、引っ掛かって滞留することもなく、スムースに排水立管に排出することができる。
【図面の簡単な説明】
【図１】図１は本発明の管継手による排水横引き管と排水立管との接続状態を示す部分切断断面図である。
【図２】図２は本発明の他の実施例を示す管継手の断面図である。
【図３】図３は図２に示した管継手のＢ−Ｂ矢視図である。
【図４】図４は従来の管継手による排水横引き管と排水立管との接続状態を示す断面図である。
【符号の説明】
１    排水横引き管
２    排水立管
３    管継手
３１    継手部
３２    サドル部
【図１】
2004169349.tif 000003
【図２】
2004169349.tif 000004
【図３】
2004169349.tif 000005
【図４】
2004169349.tif 000006